(57)【要約】【課題】従来に比して簡易かつ効率良くセパレータフィルムを剥離することができる光学フィルム、この光学フィルムを使用した画像表示装置を提案する。【解決手段】少なくともセパレータフィルムの剥離を開始する部位ＬＳ１の端面が斜めに傾いた面として、粘着層４よりセパレータフィルム５が外方に飛び出すように設定する。【選択図】図２
2013067751.tif 000002
【特許請求の範囲】
【請求項１】
セパレータフィルムを剥離して露出する粘着層により貼り付け対象に貼り付けられて保持される光学フィルムにおいて、
少なくとも前記セパレータフィルムの剥離を開始する部位の端面が斜めに傾いた面とされて、前記粘着層より前記セパレータフィルムが外方に飛び出すように設定された
光学フィルム。
【請求項２】
前記端面と、前記セパレータフィルムの面との成す角度が６５度より小さい角度である
請求項１に記載の光学フィルム。
【請求項３】
貼り付け対象が画像表示パネルのパネル面である
請求項１、又は請求項２に記載の光学フィルム。
【請求項４】
請求項１、又は請求項２に記載の光学フィルムを、前記粘着層により画像表示パネルのパネル面に配置した
画像表示装置。
【発明の詳細な説明】
【技術分野】
【０００１】
例えば画像表示装置のパネル面に貼り付ける光学フィルム、この光学フィルムを配置した画像表示装置に関する。
【背景技術】
【０００２】
近年、液晶表示装置等の画像表示装置では、画像表示パネルのパネル面に、ハードコート、反射防止、電磁波シールド等を目的とした各種光学フィルムが設けられている。この種の光学フィルムは、透明フィルムによる基材の表面に、目的とする機能に応じた各種の機能層が設けられ、さらに粘着層、セパレータフィルムが順次設けられる。ここで粘着層は、例えば基材の全面に粘着剤を塗布して作製され、光学フィルムを所望の対象に貼り付けるために設けられる。セパレータフィルムは、粘着層を保護するために設けられる。これによりこの種の光学フィルムは、画像表示装置の製造過程において、セパレータフィルムを剥離して粘着層を露出させた後、この粘着層によりパネル面に貼り付けて保持される。
【０００３】
このような粘着層を有するシート材に関して、従来、作業性を向上する工夫が提案されている（引用文献１）。
【０００４】
ところでこの種の光学フィルムのセパレータフィルムは、搬送過程等において粘着層に密着して粘着層を充分に保護することが求められる。しかしながらその一方で、作業効率の面から、貼り付け時、簡易かつ効率良く粘着層から剥離できることが求められる。
【０００５】
なおセパレータフィルムが剥離し難い場合には、いわゆる糸引きが発生し、種々の不都合を生じる恐れがある。具体的に、このような不都合は、例えば糸引きに係る粘着剤による粘着剤塊の残留、この塊の残留による部材層間の剥離等である。従って糸引きによる問題を防止する観点からも、セパレータフィルムは、簡易に剥離できることが求められる。
【先行技術文献】
【特許文献】
【０００６】
【特許文献１】特開２００８−１１１０４０号公報
【発明の概要】
【発明が解決しようとする課題】
【０００７】
本発明はこのような状況に鑑みてなされたものであり、従来に比して簡易かつ効率良くセパレータフィルムを剥離することができる光学フィルム、この光学フィルムを使用した画像表示装置を提供する。
【課題を解決するための手段】
【０００８】
本発明者は、上記課題を解決するために鋭意研究を重ね、セパレータフィルムが外方に飛び出すように光学フィルムの端面を斜めにする、との着想に至り、本発明を完成するに至った。
【０００９】
具体的には、本発明では、以下のようなものを提供する。
【００１０】
（１）  セパレータフィルムを剥離して露出する粘着層により貼り付け対象に貼り付けられて保持される光学フィルムにおいて、
少なくとも前記セパレータフィルムの剥離を開始する部位の端面が斜めに傾いた面とされて、前記粘着層より前記セパレータフィルムが外方に飛び出すように設定される。
【００１１】
（１）によれば、セパレータフィルムの粘着層より外方に飛び出す部位がセパレータフィルムを剥離する際のきっかけとなり、剥離を開始する際の力を従来に比して格段的に低減することができ、これにより従来に比して簡易かつ効率良くセパレータフィルムを剥離することができる。
【００１２】
（２）  （１）において、前記端面と、前記セパレータフィルムの面との成す角度が６５度より小さい角度であるようにする。
【００１３】
（２）によれば、より具体的な構成により剥離に要する力を低減することができる。
【００１４】
（３）  （１）又は（２）において、貼り付け対象が画像表示パネルのパネル面である。
【００１５】
（３）によれば、画像表示装置に使用する光学フィルムに関して、従来に比して簡易かつ効率良くセパレータフィルムを剥離することができる。
【００１６】
（４）  （１）又は（２）の光学フィルムを、前記粘着層により画像表示パネルのパネル面に配置する。
【００１７】
（４）によれば、本発明を画像表示装置に適用して、従来に比して簡易かつ効率良くセパレータフィルムを剥離することができ、生産性を向上することができる。
【発明の効果】
【００１８】
従来に比して簡易かつ効率良くセパレータフィルムを剥離することができる。
【図面の簡単な説明】
【００１９】
【図１】本発明の第１の実施形態に係るパターン位相差フィルムを示す図である。
【図２】図１のパターン位相差フィルムを詳細に示す図である。
【発明を実施するための形態】
【００２０】
〔第１実施形態〕
この第１実施形態では、パッシブ方式により３次元画像を表示する画像表示装置に本発明を適用する。ここで３次元画像表示では、通常、何らかの方式で右目用の映像と、左目用の映像とを、それぞれ選択的に視聴者の右目及び左目に提供することが必要である。パッシブ方式では、画像表示パネルの垂直方向に連続する画素を、順次交互に右目用及び左目用に割り当て、それぞれ右目用及び左目用の画像データで駆動し、これにより右目用の映像と左目用の映像とを同時に表示する。また画像表示パネルのパネル面にパターン位相差フィルムを配置し、右目用及び左目用の画素からの直線偏光による出射光を、右目用及び左目用で方向の異なる円偏光に変換する。これによりパッシブ方式では、対応する偏光フィルタを備えてなるめがねを装着して、右目用の映像と左目用の映像とをそれぞれ選択的に視聴者の右目及び左目に提供する。
【００２１】
このためパターン位相差フィルムは、透明フィルム材による基材に配向膜、位相差層が順次設けられる。パターン位相差フィルムは、この位相差層が液晶材料により形成され、この液晶材料の配向を配向膜の配向規制力によりパターンニングする。このパターンニングにより、パターン位相差フィルムは、液晶表示パネルにおける画素の割り当てに対応して、一定の幅により、右目用の領域と左目用の領域とが順次交互に形成され、右目用及び左目用の画素からの出射光にそれぞれ対応する位相差を与える。
【００２２】
このためこの実施形態の画像表示装置は、順次入力される画像データにより画像表示パネルを駆動して、奇数ライン及び群数ラインの画素をそれぞれ右目用及び左目用の画像データにより駆動し、右目用及び左目用の映像を同時に表示する。また画像表示パネルに配置した偏光フィルタにより画像表示パネルの出射光を直線偏光に変換し、この偏光フィルタに積層されて配置されたパターン位相差フィルムにより、偏光フィルタの出射光に右目及び左目に対応する位相差を与える。
【００２３】
図１は、このパターン位相差フィルムを示す断面図である。パターン位相差フィルム１は、透明フィルム材である基材２の片面に位相差層３が設けられる。なおここで基材２は、例えば厚み６０〔μｍ〕によるＴＡＣ（セルローストリアセテート）フィルムが適用される。位相差層３は、液晶材料により厚さ１〔μｍ〕で形成され、基材２の表面に作製された配向膜により液晶材料の配列が設定される。続いてパターン位相差フィルム１は、厚さ２５〔μｍ〕による粘着層４、厚み３８〔μｍ〕によるセパレータフィルム５が設けられる。なおセパレータフィルム５は、例えばＰＥＴフィルムが適用される。
【００２４】
またパターン位相差フィルム１は、基材２の他面側に、厚み５〔μｍ〕による反射防止層６が設けられ、続いて厚み１９〔μｍ〕による粘着層７、厚み３８〔μｍ〕による保護層８が順次設けられる。なお保護層８には例えばＰＥＴフィルムが適用される。
【００２５】
パターン位相差フィルム１は、基材２がロールにより供給され、この基材２を順次処理して上述した粘着層７、保護層８、セパレータフィルム５等が設けられた後、所望の大きさに切断して作製される。またその後、偏光フィルタに貼り合わされた後、この偏光フィルタを介して画像表示パネルのパネル面に保持される。この偏光フィルタに貼り合わせる際に、パターン位相差フィルム１は、セパレータフィルム５を剥離して粘着層４を露出させた後、この粘着層４により偏光フィルムの片面に貼り付けられる。従ってパターン位相差フィルム１において、セパレータフィルム５は、偏光フィルムに貼り付けるまでの間、粘着層４に密着して粘着層４を充分に保護することが必要であり、また偏光フィルムに貼り付ける際には、簡易かつ効率良く剥離できることが求められる。
【００２６】
パターン位相差フィルム１は、ロール材による基材２の連続した処理により長尺により作製された後、一定の大きさに一旦カットされ、その後レーザービームの走査により目的の大きさ（使用する画像表示パネルの大きさに対応する大きさ）にカットされる。通常、パターン位相差フィルム１は、このレーザービームの走査によるカッティングにおいて、表面に対して光軸が垂直になるように光学系を保持してレーザービームが照射され、端面がほぼ垂直に切断される。これに対してこの実施形態では、図２に示すように、レーザービームの光軸が長辺ＬＬに沿った方向に一定の角度だけ傾くように光学系を保持してレーザービームを照射し、これにより対向する短辺ＬＳ１、ＬＳ２の１方の側ＬＳ１では、セパレータフィルム５が粘着層４より外方に飛び出すようにパターン位相差フィルム１の端面を斜めに切断する。また他方の側ＬＳ２では、セパレータフィルム５より粘着層４が外方に飛び出すようにパターン位相差フィルム１の端面を斜めに切断する。
【００２７】
なおこのレーザービームの照射は、炭酸ガスレーザにより波長９．３〔μｍ〕、２０〔Ｗ〕のレーザーを周波数１０〔ｋＨｚ〕、デューティー比８０〔％〕により出射し、焦点深度２９〔ｍｍ〕、ビームスポット径約１００〔μｍ〕によりほぼ基材２の粘着層側面に集光して実行した。スポット移動速度は、２００〔ｍｍ／ｓ〕である。
【００２８】
ここでこのパターン位相差フィルム１は、対向する２つの短辺のうちの、一方の側の短辺の両端近傍からセパレータフィルム５の剥離が開始され、この剥離を開始した位置から徐々に他方の短辺に向かってセパレータフィルム５が剥離される。より具体的に、セパレータフィルム５の剥離は、基材２側を保持した状態で、剥離を開始する部位から治具によりセパレータフィルム５を引き剥がして開始される。またこの治具は、例えば粘着剤が塗布されたローラであり、このローラをパターン位相差フィルム１に押し付けて外周側から内周側に転がすことにより、セパレータフィルム５をローラに貼り付けて剥離する。
【００２９】
このようにしてセパレータフィルム５を剥離させる際には、最初に剥離を開始する際に最も大きな力が必要であり、剥離が始まった後には、それ程大きな力を必要としない。従って剥離を開始する際に必要な力を小さくすることができれば、容易にセパレータフィルムを剥離させることができる。
【００３０】
パターン位相差フィルム１は、このセパレータフィルム５の剥離を開始する側の短辺が、セパレータフィルム５が粘着層４より外方に飛び出す短辺ＬＳ１に設定される。このようにセパレータフィルム５が粘着層４より外方に飛び出すように端面を形成すれば、パターン位相差フィルム１では、このセパレータフィルム５の外方に飛び出す部位により、既に剥離を開始している状態に近づけることができる。従ってこの飛び出した部位をきっかけにして剥離を開始する際に要する力を従来に比して格段的に低減することができる。これによりパターン位相差フィルム１では、従来に比して簡易かつ効率良くセパレータフィルム５を剥離することができる。
【００３１】
測定した結果によれば、セパレータフィルム５の表面に対する端面の傾きθ（図２（Ｃ））を６５度に設定した場合には、垂直に端面を作製した場合に比して、剥離に要する力がそれ程低下しないのに対して、この角度θを４５度に設定した場合には、従来に比して格段的に剥離に要する力を低減することができた。なおこの測定は、幅２５〔ｍｍ〕の試験片を使用した１８０度剥離試験によるものである。これによりこの端面の角度θは、６５度未満として、より従来に比して簡易かつ効率良くセパレータフィルムを剥離できることが判った。
【００３２】
この第１実施形態によれば、セパレータフィルムの剥離を開始する部位の端面を斜めに傾いた面として、粘着層よりセパレータフィルムが外方に飛び出すように設定することにより、従来に比して簡易かつ効率良くセパレータフィルムを剥離することができる。
【００３３】
また端面と、セパレータフィルムの表面との成す角度を６５度より小さい角度に設定することにより、より従来に比して簡易かつ効率良くセパレータフィルムを剥離することができる。
【００３４】
またこれらにより画像表示装置においては、従来に比して生産性を向上することができる。
【００３５】
〔第２実施形態〕
この第２実施形態は、パターン位相差フィルム以外の光学フィルムに本発明を適用する。具体的に、この種の光学フィルムは、ハードコート、反射防止、電磁波シールド等を目的とする各種の光学フィルムである。この実施の形態において、これらの光学フィルムは、セパレータフィルムを剥離して露出する粘着層により画像表示パネルのパネル面に、直接に、又は他の光学フィルムを介して配置される。この光学フィルムは、第１実施形態について上述したパターン位相差フィルムと同様にして、粘着層より外側にセパレータフィルムが飛び出すように作製される。
【００３６】
この第２実施形態によれば、他の光学フィルムについても、従来に比して簡易かつ効率良くセパレータフィルムを剥離することができ、またさらに画像表示装置の生産性を向上することができる。
【００３７】
〔他の実施形態〕
以上、本発明の実施に好適な具体的な構成を詳述したが、本発明は、本発明の趣旨を逸脱しない範囲で、上述の実施形態の構成を種々に変更することができる。
【００３８】
すなわち上述の実施形態では、端面とセパレータフィルムの表面との成す角度を６５度より小さい角度に設定する場合について述べたが、本発明はこれに限らず、実用上十分に生産性を確保できる場合には、この角度を６５度以上の角度に設定しても良い。
【００３９】
また上述の実施形態では、単純に、端面を斜めに切断する場合について述べたが、本発明はこれに限らず、さらに外方に向かって徐々に幅の狭くなる微小な突起を繰り返し設けるようにしても良い。すなわちこのような微小の突起を設けると、剥離開始時の力をこの突起の先端に集中させることができ、より少ない力で剥離を開始することができる。従って一段と簡易かつ効率良くセパレータフィルムを剥離することができる。なおこのような突起は、例えば三角形形状として先端を突出させれば、一段と剥離の開始に要する力を小さくすることができる。
【００４０】
また上述の実施形態では、対向する短辺のうちの、剥離を開始する側の短辺のみ、セパレータフィルムが外方に飛び出すように設定する場合について述べたが、本発明はこれに限らず、要は剥離を開始する部位でセパレータフィルムが外方に飛び出すように設定すれば良く、例えば対向する短辺の双方、外周の全てで、セパレータフィルムが外方に飛び出すように設定しても良く、さらには剥離を開始する側の短辺の一部についてのみセパレータフィルムが外方に飛び出すように設定しても良い。
【００４１】
また上述の実施形態では、一定の大きさに一旦カットした後、レーザービームの走査により目的の大きさに切り出す場合について述べたが、本発明はこれに限らず、直接、ロール材を目的の大きさに切り出して作製する場合等にも広く適用することができる。
【００４２】
また上述の実施形態では、目的の大きさに切り出す際に、端面を斜めに切断する場合について述べたが、本発明はこれに限らず、別途、端面を斜めに加工しても良い。
【００４３】
また上述の実施形態では、レーザービームの走査により端面を斜めに加工する場合について述べたが、本発明はこれに限らず、切断用の刃先を斜めに傾けて押圧して端面を斜めに加工、切断する場合等、端面を斜めにする加工方法にあっては、種々の手法を適用することができる。
【００４４】
また上述の実施形態では、ロール材により光学フィルムを作製する場合について述べたが、本発明はこれに限らず、枚葉の処理により作製する場合にも広く適用することができる。
【００４５】
また上述の実施形態では、画像表示パネルのパネル面に貼り付けるフィルム材に本発明を適用する場合について述べたが、本発明はこれに限らず、窓ガラスに貼り付ける紫外線遮断フィルム、赤外線遮断フィルム等、各種の光学フィルムに広く適用することができる。
【符号の説明】
【００４６】
１    パターン位相差フィルム
２    基材
３    位相差層
４    粘着層
５    セパレータフィルム
６    反射防止層
７    粘着層
８    保護層
【図１】
2013067751.tif 000003
【図２】
2013067751.tif 000004